(57)【要約】【課題】左右横長の吸引ダクトを有する作業台において、限られた吸気能力を効率的に使用して作業面の各部位からの排気を可能ならしめる。【手段】吸引ダクト４の開口部には多数の穴が空いた前板１０が配置されている。吸引ダクト４の内部には、空気の流れに抵抗を付与する左右横長の圧損部材２１が配置されている。空気の流れに対する圧損部材２１の抵抗が排気穴１９に近いほど大きいため、吸引ダクト４の内部での左右の吸引力の差が小さくなる。その結果、吸引ダクト４の左右各部位での吸引力が平準化されて、ガス類や煙類を効率的に吸引除去できる。作業面２の左右両側縁には壁板８が配置されている。壁板８は有毒ガス類の効率的除去に貢献しており、かつ、上面は前傾しているため作業の邪魔にもならない。【選択図】図４
2009291741.tif 000002
【特許請求の範囲】
【請求項１】
前向きに開口した左右横長の吸引ダクトの手前に作業面が広がっており、前記吸引ダクトにはその内部の空気を排出するための排気穴が設けられており、前記作業面を挟んで吸引ダクトと反対側から人が作業するようになっている、という構成において、
前記吸引ダクトの開口面には通気性前部材を設けており、かつ、吸引ダクトの内部には、前記排気穴に向けて流れる空気に流れ抵抗を付与する圧損部材が左右方向に延びるように配置されている、
排気機能付き作業台。
【請求項２】
前記圧損部材は、穴が全く又は殆ど空いていない板、多数の小穴が空いている板、通気性不織布、及び網材のうちから選ばれる１種類又は複数種類から成っている、
請求項１に記載した排気機能付き作業台。
【請求項３】
前記作業面の左右両側縁に、作業面の内外を仕切る壁板を立設している、
請求項１又は２に記載した排気機能付き作業台。
【請求項４】
前記壁板は、手前に行くに従って高さが低くなる前後長手の壁板を立設している、
請求項３に記載した排気機能付き作業台。
【請求項５】
前面に空気吸引用開口部が空いている左右横長の吸引ダクトを備えており、前記吸引ダクトに、その内部の空気を排出するための排気穴が設けられていると共に、前記吸引ダクトの開口面には通気性前部材を設けており、かつ、前記吸引ダクトの内部には、前記開口部から排気穴に向けて流れる空気に流れ抵抗を付与する圧損部材が左右方向に延びるように配置されている、
排気ユニット。
【発明の詳細な説明】
【技術分野】
【０００１】
本願発明は、排気機能付き作業台（実験台と呼ぶ場合もある）及びこれに使用するのに好適な排気ユニットに関するものである。
【背景技術】
【０００２】
排気機能付き作業台は、上面を作業面と成した平面視四角形の天板を備えており、人は天板の手前に立って作業を行うようになっている。そして、作業面の後ろ側に、作業面に向いて前向きに開口した左右横長の吸引ダクト（吸気チャンバー）を配置し、作業面での作業によって発生した有毒ガスや煙を吸引ダクトに吸引して、排気管で室外に排除するようになっている（例えば特許文献１）。
【０００３】
吸引ダクトの前面は多数の穴が空いた板材やメッシュや金網等の通気材で覆われている。また、作業面が吸引ダクトの手前だけに広がっている片面仕様と、吸引ダクトを挟んだ前後両側に作業面（換言すると天板）が広がっている両面仕様（背中合わせタイプ）とがある。吸引ダクトに吸引された空気は下方や右又は左側方に排出される場合もあるが、一般には、上方に排出されるようになっており、吸引ダクトの左右中間部に排気管を接続している。また、天板の前端部に、作業面で発生した有毒ガスや煙を吸引ダクトに向けて強制的に押しやる送気手段を設けている場合もある。
【特許文献１】実用新案登録第２６００２４６号公報
【発明の開示】
【発明が解決しようとする課題】
【０００４】
排気機能付き作業台において、吸引ダクトの左右中間部に排気穴が空いており、この排気穴に排気管が接続されている。従って、吸引ダクトの内部での吸引力は排気穴から遠ざかるほど弱くなる。すなわち、吸引ダクトはその左右端部に行くに従って吸引力が弱くなるのであり、このため、作業面（天板の上面）のうち左右端部寄りにおいて発生した有毒ガスや煙は吸引ダクトに吸引されずに室内に放散されてしまうことが懸念されていた。
【０００５】
さて、排気ファン等の真空源は経済性等の点から容量が予め決められており、従って、与えられた条件で有毒ガスや煙等を効率的に吸引・排除する必要がある。本願発明はこのような現状に鑑み成されたものであり、所定の吸引力を効率的に使用して作業面の広い範囲から有毒ガス等を的確に吸引除去できる作業台を提供せんとするものである。
【課題を解決するための手段】
【０００６】
本願発明に係る作業台は、前向きに開口した左右横長の吸引ダクトの手前に作業面が広がっており、前記吸引ダクトにはその内部の空気を排出するための排気穴が設けられており、前記作業面を挟んで吸引ダクトと反対側から人が作業するようになっている。
【０００７】
そして、請求項１の発明は、前記基本構成において、前記吸引ダクトの開口面には通気性前板を設けており、かつ、吸引ダクトの内部には、前記排気穴に向けて流れる空気に流れ抵抗を付与する圧損部材が左右方向に延びるように配置されている。なお、圧損部材は圧力損失付与部材という意味であり、空気流通抑制部材やバッフル部材と言い換えることも可能である。
【０００８】
前記圧損部材は様々の素材・構造・形態を採用できるが、請求項２の発明では、前記圧損部材は、穴が全く又は殆ど空いていない板、多数の小穴が空いている板、通気性不織布、及び網材のうちから選ばれる１種類又は複数種類から成っている。
【０００９】
請求項３の発明は、請求項１又は２において、前記作業面の左右両側縁に、手前に行くに従って高さが低くなる前後長手の壁板を立設している。更に請求項４の発明では、請求項３の好適な形態として、前記壁板は、手前に行くに従って高さが低くなる前後長手の壁板を立設している。
【００１０】
本願発明は排気ユニットも含んでおり、この排気ユニットは、前面に空気吸引用開口部が空いている左右横長の吸引ダクトを備えており、前記吸引ダクトに、その内部の空気を排出するための排気穴が設けられていると共に、前記吸引ダクトの開口面には通気性前部材を設けており、かつ、前記吸引ダクトの内部には、前記開口部から排気穴に向けて流れる空気に流れ抵抗を付与する圧損部材が左右方向に延びるように配置されている。
【００１１】
なお、請求項１において「作業面を挟んで吸引ダクトと反対側から人が作業するようになっている」と記載しているが、これは通常の使用態様を表すものであり、レアなケースとして、人が作業面の左又は右の外側から手を伸ばして作業することを排除するものではない。また、本願発明が対象にする作業台はテーブルと吸引ダクトとを有しておれば足り、それ以外の構成には限定はない。従って、脚を有するテーブル方式はもとより、建物の壁に組み込んだ方式なども含まれる。
【発明の効果】
【００１２】
この種の作業台において、吸引ダクトの内部の空気は排気穴に吸引されるので、流速は排気穴の箇所において最も速くなっている。しかるに本願発明では、吸引ダクトの内部に圧損部材が左右方向に延びるように配置されているため、吸引ダクトに流れ込む空気に圧損部材によって流れ抵抗が付与されるが、空気の流れ抵抗は流速に比例して大きくなるため、圧損部材による流れ抵抗は排気穴に近いほど大きくなり、その結果、吸引ダクトによる吸引力は左右全長にわたって平準化が促される。
【００１３】
より正確には、本願発明においても排気穴に近いほど吸引力は強いのであるが、排気穴に最も近い箇所と最も遠い箇所との吸引力差（或いは吸引量差）を従来に比べて格段に小さくできるのであり、その結果、作業面の左右端部箇所からも有毒ガスや煙を効率的に吸引してクリーン化性能をアップできるのである。
【００１４】
圧損部材としては様々のものを使用できるが、請求項２のように単なる板や穴空き板や不織布や網材を使用すると、簡単な構造でしかも市販品としても容易に入手可能であるため、コスト面で有益である。なお、板の素材には限定はなくて金属や樹脂など各種のものを使用できるが、穴空きの金属板を使用する場合の例としてパンチングメタルとラス板があり、これらは強度も備えているので本願発明に適用すると構造の簡単化に貢献できる。
【００１５】
さて、作業面の上方の作業空間では人の手の動きや物の動きによって空気は様々の動きをするものであり、この空気の複雑な動きににより、作業面の左右両端寄り部位に発生した有毒ガスや煙が作業面の左右外側に逃げる挙動をすることがある。これに加えて、排気穴は吸引ダクトの左右中間部に設けていることにより、吸引ダクトによる吸引力がその左右端部に行くに従って弱くなるため、有毒ガスや煙が作業面の左右外側に逃げ出る現象が発生しやすくなる。
【００１６】
これに対して本願請求項３の構成では、作業面で発生した有毒ガスや煙が作業面の左右外側に漏洩することが壁板によって阻止されること、吸引ダクトの吸引作用が働くエリアが壁板によって作業面の上方のみに限定されて吸引力に無駄が生じないこと、及び、上記のとおり限られた吸引力を効率的に使用して吸引ダクトの左右端部での吸引力をアップできること、の三者が相まって、作業面の左右外側に有毒ガス等が漏れ出ることを防止又は著しく抑制できる。
【００１７】
そして、人が作業台で作業を行う場合、器具を作業面とその左右外側とに動かしたり、肘を作業面の左右外側にはみ出させたりと言うように、手（腕）や器具を作業面とその左右外側とに動かすことがあり、その場合、作業面の手前部に近い部位ほど人が手へ器具類を作業面の上方と左右外側とに動かす頻度は高くなるが、本願請求項４の発明では壁板は手前に向けて高さが低くなっているため、空気の漏洩機能は確保しつつ壁板が作業の邪魔になることを防止できる。
【００１８】
請求項５の発明は排気ユニットに係るものであるが、この排気ユニットは、実際の流通形態としては、作業台等に組み込まれた仕様と、それ自体が独立して販売等される仕様とがある。そして、後者の独立仕様では、既存の作業台に取り付けているのものと取り替えたり、排気機能を持たない作業台（テーブル）に新設して排気機能を持たせたりといった使い方が可能になるため、ユーザーの要望にきめ細かく対応することができる。
【発明を実施するための最良の形態】
【００１９】
次に、本願発明の実施形態を図面に基づいて説明する。図１〜図５では第１実施形態を示し、図６以下では他の実施形態を示している。以下、第１実施形態から順次説明する。
【００２０】
(1).第１実施形態の構造
図１は第１実施形態に係る作業台の斜視図であり、この図１に示すように、作業台は、上面を作業面２と成した平面視四角形（横長長方形）の天板１と、天板２をその左右両側部において支持する前後２本ずつの脚３と、作業面２の後方において天板１の上方に突出した吸引ダクト４とを備えている。吸引ダクト４は角形の箱状の外観を呈しており、天板１と同じ横幅になっている。また、吸引ダクト４の上面のうち左右中間部には継手管５を上向きに突設しており、この継手管５にチューブ状等の排気管６を接続するようになっている。継手管５には流量調節摘み５ａを設けている。
【００２１】
なお、作業面２の手前箇所には、図１に一点鎖線で示すように、空気を作業面２の上方から吸引ダクト４に向けて噴出させる噴気ユニット７を設けることが可能である。作業面２の左右両側縁には、当該作業面２の略奥行き全体に亙って延びる壁板８を設けている。壁板８は、その後端は吸引ダクト４とほぼ同じ高さであり、後端から前端に向けて高さが徐々に低くなる側面視三角形に形成されている。壁板８は、図示しないブラケットを介して天板１と吸引ダクト４とに取り外し可能に固定されている。なお、壁板８の素材には限定はないが、耐薬品性の点からはアクリル樹脂のような樹脂板が好ましい。
【００２２】
吸引ダクト４は前向きに開口しており、その開口部には、通気性前部材の一例として、多数の縦長穴９を有する前板１０が配置されている。図２は部分的な一部破断分離斜視図、図３は前板１０の部分的な正面図であり、前板１０の形状は図３（Ａ）において明瞭に表示している。前板９のうち左右中間部（継手管５を設けている部位）は縦長穴９の群がない非通気部９ａになっているが、継手管５に対応した箇所にも縦長穴９を設けることは可能である。
【００２３】
なお、図２では前板１０における縦長穴９の群は部分的にしか表示していない。図３（Ｂ）（Ｃ）では前部材の別を示している。（Ｂ）に示す例では多数の小穴１０ｂが空いた構成にしており、図３（Ｃ）に示す例では開口部は金網等の網材１０ｃで覆われている。
【００２４】
吸引ダクト４の左右両端部は電源部１１になっており、電源部１１の前面には図示しないコンセントを設けている。図２に示すように、電源部１１は吸引ダクト４の左右内側板１２で仕切られている。敢えて述べるまでもないが、電源部１１の箇所には吸気機能はない。なお、後部の脚３は吸引ダクト４の手前に位置しており、後部の脚３の後ろ側にはサイド板１３を配置している。
【００２５】
図４のうち（Ａ）は図１の IVA-IVA視断面図である。この図４（Ａ）に明瞭に示すように、天板１は、金属板製の上板１ａと下板１ｂ及び、上板１ａの上面に張った樹脂製の表面板１ｃ、及び図示しない補強フレームを備えている。上板１ａと下板１ｂとは吸引ダクト４の後端まで延びており、上板１ａは吸引ダクト４の下面を構成している。
【００２６】
吸引ダクト４は、１枚の金属板を折り曲げて製造した上面板１５と背板１６と底板１７を有しており、上面板１５と背板１６と底板１７と左右内側板１２とで囲われた空間が吸気空間１８になっている。上面板１５の左右中間部に排気穴１９が空いていてこれに継手管５が連通している。上面板１５の前端部には中空状のカマチ部１５ａが折り曲げ形成されている。前板１０はカマチ部１５ａの付け根箇所に配置されており、吸引ダクト４の上面板１５に形成した上ブラケット２０と底板１７に形成した下ブラケット１７ａとにビス止めされている。
【００２７】
そして、吸引ダクト４の内部には、圧損部材２１を配置している。圧損部材２１は排気穴１７の下方に位置する状態で左右に延びている。図４のうち（Ｂ）は（Ａ）のＢ−Ｂ視における圧損部材２１の展開図である。この図４（Ｂ）から明瞭に把握できるように、本実施形態の圧損部材２1 は鋼板やステンレス板等の金属板又は樹脂板とからなっており、穴は空いていない。
【００２８】
より詳細には、圧損部材２１は、側面視で前傾姿勢の傾斜部２１ａと、傾斜部２１ａの上端から前向きに延びる上水平部２１ｂと、傾斜部２１ｂの下端から下向きに延びる鉛直部２１ｃとで構成されており、上水平部２１ａと下鉛直部２１ｂとに吸引ダクト４の内側板１２に重なる取り付け片２１ｄを設け、取り付け片２１ｄを内側板１２にビス止めしている。なお、圧損部材２１は吸引ダクト４の上下内面に固定してもよい。
【００２９】
圧損部材２１の上水平部２１ａは上ブラケット２０に近接しており、他方、下鉛直部２１ｂと吸引ダクト４の下面との間にはある程度の上下間隔の通路２２が空いている。圧損部材２１は図４（Ｃ）に別例として示すように多数の小穴が空いた穴空き板で構成することも可能であり、この場合は、圧損部材２１の下方に通路２２を設ける必要はない。吸引ダクト４はそれ自体が一つのユニットになっており、これを天板１にビス等で固定している。すなわち、本願発明の吸引ダクト４は着脱方式になっているのであり、従って、既存の作業台に新設又は付け替えることができる。
【００３０】
既述のように噴気ダクト７を設ける場合、その送気手段の一例として、天板１の下方空間のうち吸引ダクト４の下方部に左右横長の送気ダクト２３を配置することが可能である。送気ダクト２３の下面には左右２個の送気口２４を設けており、送気口２４と噴気ユニット７が１本又は複数本のチューブ２５で接続されている。作業台はその多数台を左右に並設することが普通であり、そこで、各作業台の送気ダクト２３を互いに接続して、これに共通した送気手段から加圧空気を送るようになっている。勿論、個々の作業台に送気ファンを設けてもよい。
【００３１】
(2).第１実施形態のまとめ
図５のうち（Ａ）は空気の流れを示す模式図、（Ｂ）は吸引ダクト４の内部での空気の吸引力（流速と流量）を示した模式的なグラフである。（Ｂ）のうち細線で示すのは圧損部材２１が存在しない場合の比較例である。（Ｂ）のグラフに示すように、吸引ダクト４の内部での吸引力は圧損部材２１の有無に関係なく排気穴１９から遠ざかるほど小さくなるが、圧損部材２１が存在しない場合（細線の場合）は吸引力の差が大きくて、排気穴１９に近い部分では吸引力は過剰に強くて限られた能力が無駄に消費されている一方、吸引ダクト４の端部では吸引力は非常に弱くなっている。
【００３２】
他方、圧損部材２１を有する本実施形態（太線の場合）では、圧損部材２１はその全体にわたって空気の流入に対する抵抗として作用するが、排気穴１９に近いほど流速が速くて流れ抵抗も大きくなることから、圧損部材２１による流れ抑制作用は排気穴１９に近いほど大きくて吸引ダクト４の左右端部に行くほど小さくなるため、排気穴１９から遠ざかるに従って吸引力が低下する程度（勾配）は圧損部材２１が存在しない場合に比べて著しく小さくなるのであり、その結果、吸引ダクト４の左右各部位での吸引力ができるだけ平準化され、有毒ガスや煙等の吸気効率を向上できるのである。
【００３３】
さて、空気を横長の通路に吸い込む場合、吸い込まれる部分が負圧状態に保持されている必要がある。この点、本実施形態では負圧状態に保持された空間部が左右方向に延びる状態に形成されていて好適である。
【００３４】
すなわち、本実施形態の圧損部材２１は穴が空いていない板材から成っていて、吸引ダクト４の内部の吸気空間１８は圧損部材２１によっておおよそ前後２つの空間に仕切られているが、圧損部材２１の裏側に左右横長の空間が形成されていてしかも圧損部材２１の下方の通路２２は吸気空間１８の上下幅寸法に比べて寸法が遥かに小さい隘路になっているため、圧損部部材２１の裏側は全体に亘って負圧状態に維持されたプレナムチャンバー化しており、このため、吸引ダクト４の運転によって通路２２の箇所には強い吸引力（負圧）が左右全長にわたって生じているのであり、その結果、吸引ダクト４の前面から流入した空気を通路２２に的確に吸引して排気穴１９に排出することができるのである。
【００３５】
更に述べると、吸引ダクト４に吸い込まれた空気の大部分は、おおむね水平方向の姿勢で吸引ダクト４に入り込んでから、圧損部材２１の下方を巻き込むようにして向きを変えられて排気穴１８に排出される。なお、圧損部材２１を穴空き板で構成した場合には、空気は圧損部材２１を通過していく。この場合も、空気の流れ抵抗は左右中間に近いほど大きくなるため、圧損部材２１の裏側での吸引力は左右方向の各部位において平準化される。
【００３６】
ところで、壁板８が存在しないと、吸引ダクト４の左右端部においは作業面２の左右外側からの空気も流入するため、限られた吸引力が無駄に消費される虞があるか、本願発明では作業面２の左右側縁に壁板８が存在するため、作業面２の左右外側からの空気の流入は阻止されて、限られた吸引能力を効率的に使用できる。また、壁板８は手前に行くほど高さが低くなっているため、人が器具類や手を動かして作業するに際して壁板８が邪魔になることは全く又は殆どなく、このため作業の容易性が損なわれることもないのである。圧損部材２１と壁板８との両方を設けると好適ではあるが、壁板８はそれ自体で独立した利点を有している。
【００３７】
図５に一点鎖線で示すように、吸引ダクト４の内部に、例えば、背板１６との間隔が左右端部に行くに従って大きくなる補助板２７を配置することにより、吸気空間１８の横断面積が排気穴１９から遠ざかるに従って小さくすることが可能であり、このように構成すると、吸気空間１８の各部位での空気の流速をできるだけ平準化することができるため、一層好適である。背板１６を補助板２７に置き換えることも可能である。排気穴１９は、吸気ダクト４の背面又は下面もしくは左右のいずれか一方又は両方の側面に設けてもよい。
【００３８】
(3).他の実施形態（図６〜図８）
図６では第２実施形態を示している。この第１実施形態は１つの吸引ダクト４の前後両側に２つの作業面２が設けられた両面仕様タイプに適用したものであり、吸引ダクト４の内部には２つの圧損部材２１が背中合わせに配置されている。圧損部材２１は傾斜部２１ａと下鉛直部２１ｃとを有する側面視くの字形に形成されている。圧損部材２１の形状は必要に応じて任意に設定できる。
【００３９】
例えば、図６に一点鎖線で示すように、平板に形成してこれを傾斜姿勢に配置したり、同じく図６に二点鎖線で示すように、外向き凹の円弧状に形成したりすることができる。なお、本実施形態では、壁板８の上面の後部は水平部になっている。
【００４０】
図７（Ａ）に示す第３実施形態は第２実施形態と同様に両面仕様タイプの作業台に適用したものであり、圧損部材２１は、前後の鉛直部２１ｅとこれを繋ぐ底部２１ｆとを有する上向き開口コ字状の形態になっている。鉛直部２１ｅには多数の小穴が空いている。底部２１ｆは通気に寄与しないので小穴の群は必要ないが、市販のパンチングメタルやラス板を使用する場合は、底部２１ｆにも小穴が空くことになろう。
【００４１】
図７（Ｂ）に示す第４実施形態は第３実施形態の変形例であり、圧損部材２１の底板２１ｆと吸引ダクト４の底板１７との間に通気空間を空けている。圧損部材２１の底板２１ｆにも通気性を持たせている。また、前板１０は吸引ダクト４の底板１７に曲げ形成しており、これに多数の穴を空けている。
【００４２】
図８に示す第５実施形態では、圧損部材２１として不織布を使用している。不織布はそれ自身での形態保持性が弱いので、形状を保持するため金網より成る補強材２８を使用している。不織布に代えて、網材（ネット材）や綿状材等を使用することも可能である。それらの素材には特段の限定はない。
【００４３】
(4).その他
本願発明は上記の実施形態の他にも様々に具体化できる。例えば一つの吸引ダクトの左右複数箇所に排気穴を設けることも可能である。特許文献１に開示されているように吸引ダクトを棚装置に組み込むことも可能である。また、両面仕様の作業台の場合、特許文献１のように前後の前板を開閉式にすることも可能である。圧損部材の素材や形状、配置姿勢、配置位置などは任意に設定できる。複数の圧損部材を左右方向に断続的に並べて配置することも可能である。
【００４４】
前板を穴空き板方式にする場合、穴の形状や配置に任意に設定できる。また、前板を金網や網材で構成することも可能である。第１実施形態の壁板は傾斜した上面と水平な下面とが繋がっていて前端か鋭角になっているが、前端面を若干の高さの鉛直部と成してもよい。上面の後部は後端まで傾斜していてもよいし、図６のように水平になっていてもよい。
【図面の簡単な説明】
【００４５】
【図１】第１実施形態に係る作業台の斜視図である。
【図２】第１実施形態の部分的な一部破断分離斜視図である。
【図３】前板の部分的な正面図である。
【図４】（Ａ）は図１の IVA-IVA視断面図、（Ｂ）は圧損部材を（Ａ）のＢ−Ｂ視方向から見た展開図である。
【図５】（Ａ）は空気の流れを示す模式図、（Ｂ）は吸引ダクトの内部での左右位置と吸引力との関係を示した模式的グラフである。
【図６】第２実施形態を示す図である。
【図７】第３実施形態及び第４実施形態を示す図である。
【図８】第５実施形態を示す図である。
【符号の説明】
【００４６】
１  天板
２  作業面
４  吸引ダクト
６  排気管
８  壁板
１０  前板
１７  吸引ダクトの吸引空間
１８  吸引ダクトの排気穴
２１  圧損部材（邪魔板）
【図１】
2009291741.tif 000003
【図２】
2009291741.tif 000004
【図３】
2009291741.tif 000005
【図４】
2009291741.tif 000006
【図５】
2009291741.tif 000007
【図６】
2009291741.tif 000008
【図７】
2009291741.tif 000009
【図８】
2009291741.tif 000010